(57)【要約】  【課題】サリエンシーを利用して、操作者に対して煩わしさを与えることなく視環境に応じて適切に視線誘導できるようにする。  【解決手段】視界領域となる例えばフロントウインドガラス１の外縁が、左右一対のフロントピラー２、ルーフ３、インストルメントパネル４によって規定されている。フロントウインドガラス１の周縁部には、例えば液晶等によって、部分的にサリエンシー（視覚的顕著性）を高くすることが可能な変更領域Ｓ１１が設定される。領域Ｓ１１のうち、視線誘導する方向の部位のサリエンシーが高くされる（例えばフロントウインドガラス１内の情景に対して輝度差大とされる）。サリエンシーを高めるための制御内容（例えば色、輝度、動き、面積、凹凸等）が、視環境に応じて変更される。視環境としては、例えば車速、（高車速時と低車速時）、照度（昼間と夜間）等を設定することができる。【選択図】  図６
2018016120.tif 000002
【特許請求の範囲】
【請求項１】
移動物体における視界領域の外縁が枠体によって規定されてなる視界制御装置であって、
前記視界領域の周縁部付近でのサリエンシーを高める方向に変更するためのサリエンシー変更手段と、
前記サリエンシー変更手段を制御して、該視界領域の周縁部付近のうち前記操作者に対する視線誘導方向にある周縁部付近のサリエンシーを高める制御手段と、
前記視界領域内における視環境を検出する視環境検出手段と、
前記視環境検出手段により検出された視環境に応じて、前記制御手段によるサリエンシーを高めるための制御内容を変更する変更手段と、
を備えていることを特徴とする視界制御装置。
【請求項２】
請求項１において、
前記視界領域を通して移動物体の操作者が視認する周辺状況を撮像する撮像手段と、
前記撮像手段で撮像された画像に基づいて、前記視界領域におけるサリエンシーの分布状態を検出する分布状態検出手段と、
をさらに備え、
前記制御手段は、前記分布状態検出手段によって検出された前記視界領域でのサリエンシーの分布状態に応じて、視線誘導する方向のサリエンシーを高めるための制御を行う、
ことを特徴とする視界制御装置。
【請求項３】
請求項１または請求項２において、
前記サリエンシー変更手段は、前記視界領域の左側側縁部と右側側縁部と上縁部との少なくとも３箇所についてサリエンシーを高めることができるように設定され、
前記制御手段は、前記３箇所のうち選択された少なくとも１箇所についてのサリエンシーを高めるように制御する、
ことを特徴とする視界制御装置。
【請求項４】
請求項１ないし請求項３のいずれか１項において、
前記変更手段は、前記視環境検出手段の検出結果に応じて、サリエンシーを高めるための制御内容を、少なくとも色と輝度と動きとの中から選択して行う、ことを特徴とする視界制御装置。
【請求項５】
請求項４において、
前記変更手段は、サリエンシーを高めるための制御内容を、面積と凹凸の有無とを含めた中から選択して行う、ことを特徴とする視界制御装置。
【請求項６】
請求項１ないし請求項５のいずれか１項において、
前記視環境検出手段が、車速を検出するものとされ、
前記変更手段は、サリエンシーを高める制御内容として、前記視環境検出手段により検出される車速が所定車速よりも大きい高車速のときは少なくとも動きにより行う一方、該所定車速以下の低車速のときは色または輝度の少なくとも一方によって行う、
ことを特徴とする視界制御装置。
【請求項７】
請求項１ないし請求項６のいずれか１項において、
前記視環境検出手段が、前記視界領域内における照度を検出するものとされ、
前記変更手段は、サリエンシーを高める制御内容として、前記視環境検出手段により検出される照度が所定値よりも高い高照度のときは、少なくとも色または動きによって行う一方、照度が該所定値以下の低照度のときは少なくとも輝度によって行う、
ことを特徴とする視界制御装置。
【請求項８】
請求項１ないし請求項７のいずれか１項において、
前記視環境検出手段が、操作者の視野範囲を検出するものとされ、
前記変更手段は、サリエンシーを高める制御内容として、前記視環境検出手段により検出される視野範囲がサリエンシーを高める部位について周辺視外側であるときは少なくとも動きによって行う一方、視野範囲が周辺視内側であるときは少なくとも色または輝度によって行う、
ことを特徴とする視界制御装置。
【請求項９】
請求項１ないし請求項８のいずれか１項において、
前記視界領域が、車両のフロントウインドガラスとされ、
前記操作者が、車両の運転者とされている、
ことを特徴とする視界制御装置。
【請求項１０】
請求項１ないし請求項請求項９のいずれか１項において、
前記視界領域が、車両におけるバックミラー、サイドミラー、設定された所定方向を映し出すディスプレイのいずれかとされ、
前記操作者が、車両の運転者とされている、
ことを特徴とする視界制御装置。
【発明の詳細な説明】
【技術分野】
【０００１】
本発明は、視界制御装置に関するものである。
【背景技術】
【０００２】
移動物体の操作者、例えば車両の運転者は、フロントウインドガラスを通して車外状況を確認しつつ運転を行うことになる。特許文献１には、フロントウインドガラスの窓枠形状を視覚的に変更できるようにしたものが開示されている。すなわち、特許文献１には、フロントウインドガラスの周縁部に、液晶等を利用して視界制限の有無を変更可能な視界変更領域を設定して、例えば車両の走行状態、道路状態、車両周辺状態に応じて部分的に視界制限して、フロントウインドガラスの窓枠形状を視覚的に変更できるようにしたものが開示されている。
【先行技術文献】
【特許文献】
【０００３】
【特許文献１】特開２０１６−３７２０１号公報
【発明の概要】
【発明が解決しようとする課題】
【０００４】
ところで、人間がある状況を目視した際に、サリエンシーと呼ばれる視覚特徴量が大きい（サリエンシーが高い）と、その特定部位に視線誘導されやすいものとなる。サリエンシーは、色、輝度、エッジの傾き、動きなどにより刻一刻と変化する顕著性からなる視覚特徴量である。すなわち、車両の運転者がフロントウインドガラスを通して前方状況を目視した際に、サリエンシーの高い方向へと自然発生的に（無意識のうちに）視線誘導されやすいものとなる。
【０００５】
一方、移動物体としての例えば車両においては、視界領域となる例えばフロントウインドガラスを通して前方状況を視認する際に、運転者の視線方向が注視すべき視認対象物から大きく外れたわき見状態となってしまうことが応々にして生じる。例えば、直進走行時に、左右の道路脇にある目立つ物（例えば点灯している大きな看板）に対して無意識に視線が向いてしまう等のことが生じやすいものとなる。このため、運転者の視線を注視すべき視認対象物へ誘導することは、安全運転等の上で好ましいものとなるが、例えば音声によって視線誘導方向を案内することは運転者に対して煩わしさを与えてしまうことになり、好ましくないものとなる。
【０００６】
このような観点から、例えばフロントウインドガラスの周縁部の特定部位についてのサリエンシーを高めて、サリエンシーの高くなった特定部位方向へと視線誘導することが考えられる。しかしながら、この場合、フロントウインドガラスを通して視認される視環境が変化すると、サリエンシーが高められた特定部位の目立ちやすさが変化して、適切な視線誘導を行うことが難しくなる、という新たな問題を生じる。
【０００７】
本発明は以上のような事情を勘案してなされたもので、その目的は、移動物体の操作者に対して煩わしさを与えることなく視環境に応じて適切に視線誘導できるようにした視界制御装置を提供することにある。
【課題を解決するための手段】
【０００８】
前記目的を達成するため、本発明にあっては次のような解決手法を採択してある。すなわち、請求項１に記載のように、
移動物体における視界領域の外縁が枠体によって規定されてなる視界制御装置であって、
前記視界領域の周縁部付近でのサリエンシーを高める方向に変更するためのサリエンシー変更手段と、
前記サリエンシー変更手段を制御して、該視界領域の周縁部付近のうち前記操作者に対する視線誘導方向にある周縁部付近のサリエンシーを高める制御手段と、
前記視界領域内における視環境を検出する視環境検出手段と、
前記視環境検出手段により検出された視環境に応じて、前記制御手段によるサリエンシーを高めるための制御内容を変更する変更手段と、
を備えているようにしてある。
【０００９】
上記解決手法によれば、視界領域のうち視線誘導したい方向にある所定部位のサリエンシーを高めることにより、高められたサリエンシーの方向へと操作者の視線を自然発生的（無意識のうちに穏やかに）に誘導することができる。そして、サリエンシーを高めることによる視線誘導は、音声による視線誘導の場合に比して、穏やかな視線誘導となるので、操作者に対して煩わしさを与えてしまうことが防止あるいは抑制されることになる。また、例えば車速や照度等の視環境に応じてサリエンシーを高める制御内容を変更するので、視環境の変化に対応して適切にサリエンシーを高めることができる。このことは、不必要に高いレベルでもって視線誘導してしまうことや、逆に十分に視線誘導することができない、という事態の発生を防止する上でも好ましいものとなる。
【００１０】
上記解決手法を前提とした好ましい態様は、請求項２以下に記載のとおりである。すなわち、
前記視界領域を通して移動物体の操作者が視認する周辺状況を撮像する撮像手段と、
前記撮像手段で撮像された画像に基づいて、前記視界領域におけるサリエンシーの分布状態を検出する分布状態検出手段と、
をさらに備え、
前記制御手段は、前記分布状態検出手段によって検出された前記視界領域でのサリエンシーの分布状態に応じて、視線誘導する方向のサリエンシーを高めるための制御を行う、
ようにしてある（請求項２対応）。この場合、視界領域におけるサリエンシーの分布状態に基づいて、視線誘導のためのサリエンシーを高める制御が行われるので、サリエンシーを高める度合いを適正に設定することができる。例えば、視界領域のうち視線誘導する方向の周縁部が暗いときに、サリエンシーを不必要に大きく高めてしまうこともなく、逆に視界領域のうち視線誘導する方向の周縁部が明るいときに、サリエンシーを高める度合いが不足してしまう等のこともなく、適正なサリエンシーの高さでもって視線誘導する上で極めて好ましいものとなる。
【００１１】
前記サリエンシー変更手段は、前記視界領域の左側側縁部と右側側縁部と上縁部との少なくとも３箇所についてサリエンシーを高めることができるように設定され、
前記制御手段は、前記３箇所のうち選択された少なくとも１箇所についてのサリエンシーを高めるように制御する、
ようにしてある（請求項３対応）。この場合、前方、左、右の各方向への視線誘導を行う上で好ましいものとなる。
【００１２】
前記変更手段は、前記視環境検出手段の検出結果に応じて、サリエンシーを高めるための制御内容を、少なくとも色と輝度と動きとの中から選択して行う、ようにしてある（請求項４対応）。この場合、色と輝度と動きとを利用して、視環境に応じてサリエンシーを適切に高めることができる。
【００１３】
前記変更手段は、サリエンシーを高めるための制御内容を、面積と凹凸の有無とを含めた中から選択して行う、ようにしてある（請求項５対応）。この場合、面積と凹凸の有無をも利用して、視環境に応じてより適切にサリエンシーを高めることができる。
【００１４】
前記視環境検出手段が、車速を検出するものとされ、
前記変更手段は、サリエンシーを高める制御内容として、前記視環境検出手段により検出される車速が所定車速よりも大きい高車速のときは少なくとも動きにより行う一方、該所定車速以下の低車速のときは色または輝度の少なくとも一方によって行う、
ようにしてある（請求項６対応）。この場合、動きに敏感となる高車速時において効果的にサリエンシーを高めつつ、低車速時には色または輝度を利用することにより不必要にサリエンシーを高めてしまうことを防止する上で好ましいものとなる。
【００１５】
前記視環境検出手段が、前記視界領域内における照度を検出するものとされ、
前記変更手段は、サリエンシーを高める制御内容として、前記視環境検出手段により検出される照度が所定値よりも高い高照度のときは、少なくとも色または動きによって行う一方、照度が該所定値以下の低照度のときは少なくとも輝度によって行う、
ようにしてある（請求項７対応）。この場合、照度に応じて、特に昼間と夜間との間でのサリエンシーを適切に高める上で好ましいものとなる。
【００１６】
前記視環境検出手段が、操作者の視野範囲を検出するものとされ、
前記変更手段は、サリエンシーを高める制御内容として、前記視環境検出手段により検出される視野範囲がサリエンシーを高める部位について周辺視外側であるときは少なくとも動きによって行う一方、視野範囲が周辺視内側であるときは少なくとも色または輝度によって行う、
ようにしてある（請求項８対応）。この場合、サリエンシーを高める部位が視野範囲からずれて気づかれにくいときは、気づきやすい動きを利用してサリエンシーを高めることにより、視線誘導を確実に行うことができる。
【００１７】
前記視界領域が、車両のフロントウインドガラスとされ、
前記操作者が、車両の運転者とされている、
ようにしてある（請求項９対応）。この場合、車両における視線誘導として好ましいものとなる。特に、車両は走行している数が多い一方、歩行者、二輪車、他車両等と混在した状態で走行する機会が多くて、視線誘導すべき機会も多くなることから、運転者に対して煩わしさを与えることなく視線誘導できることは極めて好ましいものとなる。
【００１８】
前記視界領域が、車両におけるバックミラー、サイドミラー、設定された所定方向を映し出すディスプレイのいずれかとされ、
前記操作者が、車両の運転者とされている、
ようにしてある（請求項１０対応）。この場合、間接視界となる視界領域について、請求項１に対応した効果を得ることができる。
【発明の効果】
【００１９】
本発明によれば、人間の目に付きやすいサリエンシーを有効に利用して、操作者に対して煩わしさを与えることなく視環境に応じて適切に視線誘導することができる。
【図面の簡単な説明】
【００２０】
【図１】視界領域としてのフロントウインドガラス部分を示す図。
【図２】フロントウインドガラスについて、サリエンシーを高めることが可能な領域設定例を示す図。
【図３】フロントウインドガラスの側縁部のサリエンシーを高めた状態を示す図。
【図４】フロントウインドガラスの上縁部のサリエンシーを高めた状態を示す図。
【図５】本発明の制御系統例を示す図。
【図６】本発明の制御例を示すフローチャート。
【図７】フロントウインドガラスの側縁部のサリエンシーを高めた状態の別の例を示す図。
【図８】フロントウインドガラスの側縁部のサリエンシーを高めた状態の別の例を示す図。
【図９】フロントウインドガラスの側縁部のサリエンシーを高めた状態の別の例を示す図。
【発明を実施するための形態】
【００２１】
以下本発明の実施形態について説明するが、実施形態では、移動物体として、車両の一種となる自動車の場合を例してしてある。まず、図１において、１は、自動車のフロントウインドガラスである。フロントウインドガラス１の外縁つまり窓枠形状が、左右一対のフロントピラー２とルーフ３とインストルメントパネル４とによって規定されている。図１中、５はバックミラー、６はサイドミラー、７はナビゲーション装置用のディスプレイである。ディスプレイ７は、通常時は地図情報を表示しているが、後退ギアが選択されたときには、自動的に後方視界を映し出すようになっている（後方カメラにより撮像された画像の表示）。また、バックミラー５、サイドミラー６等の間接視界を映し出すものは、実施形態では鏡を用いてあるが、カメラによって撮像された映像を映し出す電子表示式のもの（つまりディスプレイ）であってもよい。
【００２２】
図２に示すように、フロントウインドガラス１には、その全周縁部において、サリエンシーを高めることが可能な変更領域Ｓ１１が設定されている。この変更領域Ｓ１１は、特許文献１に開示されているように、液晶フィルムを用いたり、プロジェクションマッピングを用いることに構成されて、この変更領域Ｓ１１の任意の部分についてのサリエンシーを高めることが可能となっている。
【００２３】
変更領域Ｓ１１でのサリエンシーを高めるために、フロントウインドガラス１内における周辺状況（特に周辺状況が示しているサリエンシーの分布状況）や周縁部付近に存在する部材を背景としたときの輝度差を高めるようになっており、これに加えて色をも変更可能とされている。例えば、背景が灰色系や黒色系が主体であるときには、変更領域Ｓ１１においては明度差の大きくなる明るい色（例えば黄色等）でもって、かつ輝度が高くされるような表示とされる。なお、フロントウインドガラス１の周縁部のサリエンシーを高めるための構成としては、フロントウインドガラス１の周縁部そのものに対して液晶フィルムを設定したりプロジェクションマッピングにより光を映し出すことにより行う他、例えばルーフ３の前縁部、フロントピラー２の車幅方向内縁部、インストルメントパネル４の前縁部に例えば液晶フィルムやＬＥＤ照明を設置したり、プロジェクションマッピングを行う等、適宜の手法を採択し得る。
【００２４】
図３は、変更領域Ｓ１１を制御して、フロントウインドガラス１の右側縁部についてのサリエンシーを高めた（視覚的顕著性を高めた）部位ＨＲ１を形成した状態を示す。運転者の視線は、サリエンシーが高い部分とされた部位ＨＲ側に誘導されることになる。つまり、サリエンシーを高くした部位ＨＲの設定は、運転者の視線を右方向に誘導する例えば右旋回時において好ましものとなる。左旋回時には、図３一点鎖線で示すように、フロントウインドガラス１の左側縁部について、サリエンシーを高くした部位ＨＬ１を設定すればよい。左右いずれかの方向への視線誘導は、例えば幅寄せの際にも行うことができる（幅寄せ方向のサリエンシーを高める制御を実行）。
【００２５】
また、右方側に注視すべき視認対象物が存在する一方、運転者の視線が右方向から大きくずれているときは、サリエンシーの高い部位ＨＲ１を設定することもできる。逆に、左方側に注視すべき視認対象物が存在する一方、運転者の視線が左方向から大きくずれているときは、サリエンシーの高い部位ＨＬ１を設定することもできる。
【００２６】
図４は、変更領域Ｓ１１を制御して、フロントウインドガラス１の上縁部についてサリエンシーを高くした部位ＨＵを形成した状態を示す。この部位ＨＵのサリエンシーが高くなることにより、運転者は、フロントウインドガラス１の上縁部つまり前遠方に向けて視線誘導されることになる。図４のような設定は、直進走行時、特に高速道路（自動車専用道路を含む）での直進走行時において好ましいものとなる。特に、高速道路では、走行路に沿って道路を照らす照明灯が数多く設置されていることが多いが、この左右にある照明灯に邪魔されることなく、前遠方に視線誘導する上で好ましいものとなる。
【００２７】
図５は、変更領域Ｓ１１を利用して視線誘導の制御を行うための制御系統例が示される。この図５において、Ｕは、マイクロコンピュータを利用して構成されたコントローラ（制御ユニット）である。この制御ユニットＵには、各種センサあるいは機器類Ｓ１〜Ｓ６からの信号が入力される。Ｓ１は、車速を検出する車速センサである。Ｓ２は舵角を検出する舵角センサである。Ｓ３は、ナビゲーション装置であり、自車位置情報（ＧＰＳ機能）と地図情報とが取得される。Ｓ４は、アイカメラであり、例えばルーフ３の前端部に設けられて、運転者の視線方向を検出（撮像）するものとなっている。Ｓ５は、自車両前方の状況を撮像する車外カメラであり、この車外カメラＳ５により撮像された画像中におけるサリエンシーを検出するためのものとなっている。Ｓ６は照度を検出するセンサで、主として櫃間と夜間との区別用となる。
【００２８】
コントローラＵは、前述した変更領域Ｓ１１（を構成する液晶等）を制御する他、スピーカＳ１２を制御する。スピーカＳ１２は、注視すべき視認対象物を運転者が視認していないときでかつ危険なときに限って、音声により警報を行うためのものとなっている。
【００２９】
コントローラＵは、２種類のデータベースＤ１、Ｄ２を有している。各データベースＤ１、Ｄ２は、それぞれ大容量のフラッシュメモリやハードディスクによって構成されている。データベースＤ１には、サリエンシーのうち、運転者が注視すべき視認対象物について数多くのデータを記憶している。例えば、先行車両のブレーキランプ、信号機の表示、特に点灯式の道路標識、対向車両、二輪車、歩行者等について、視認対象物として記憶されている。
【００３０】
一方、データベースＤ２には、視認対象物とはならないサリエンシーについて数多く記憶されている。運転者による視認対象物とはならないサリエンシーとしては、例えば、道路脇の点灯式の看板、街灯、照明灯、建物の窓明かり、街路樹、太陽、月、星等々について、視認不要なサリエンシーとして記憶されている。なお、データベースＤ１、Ｄ２での記憶は、各種の走行シーン（例えば直進走行、旋回走行、市街地走行、高速道路走行等々）毎に場合分けして行われている。
【００３１】
コントローラＵは、車外カメラＳ５により撮像された画像中から、サリエンシーを抽出して、抽出したサリエンシーをデータベースＤ１、Ｄ２に照合して、運転者が注視すべき視認対象物と視認不要な対象物とに区分けする。そして、この区分けに応じて、走行シーンに応じて運転者が注視すべき視認対象物が特定される。
【００３２】
次に、サリエンシーを高めるための制御内容の種類について説明する。まず、サリエンシーが高められた部位として、図３のＨＲ１、図４のＨＵを示したが、この他、例えば図７〜図９のような場合も採択可能となっている。
【００３３】
図７は、サリエンシーが高められた部位がＨＲ１−２として示され、図３の部位ＨＲ１に対応している。ただし、部位ＨＲ１−２は、部位ＨＲ１に比して、その幅が小さくされて（面積が小さくされて）、サリエンシーが低められた状態となる。
【００３４】
図８は、サリエンシーが高められた部位がＨＲ１−３として示される。図８の部位ＨＲ１−３は、図３に示す部位ＨＲ１の内周縁部にぎざぎざとされた凹凸を付したものとされて部位ＨＲ１の場合に比して、よりサリエンシーが高められた状態とされる。
【００３５】
図９は、サリエンシーが高められた部位がＨＲ１−４として示される。部位ＨＲ１−４は、上下方向長さが小さくされていて、実線で示す位置と破線で示す位置との間で上下方向に往復動されて、極めて目立ちやすいものとされている。
【００３６】
図３、図４、図７〜図９に示す例は、あくまで一例であり、サリエンシーを高める度合い（目立ちやすさの度合い）を変更するには、上述した各種例の任意の１つまたは２以上の組み合わせによって行うことができる。すなわち、サリエンシーを高めるための制御内容となる色、輝度（輝度差）、凹凸（エッジ）、動き、面積等について、任意の１つまたは任意の２以上の組み合わせ、フロントウインドガラス１内の視環境に応じて選択することができる。
【００３７】
次に、コントローラＵによる制御例について、図６のフローチャートを参照しつつ説明する。なお、以下の説明でＱはステップを示す。まず、図６のＱ１において、各種センサあるいは機器類Ｓ１〜Ｓ５からの信号が入力される。この後Ｑ２において、アイカメラＳ４での検出結果に基づいて、運転者の視線方向が演算される。
【００３８】
Ｑ２の後、Ｑ３において、サリエンシーが演算される。このＱ３での処理は、前述したように、車外カメラＳ５で撮像された画像中のサリエンシーについて、運転者が注視すべき視認対象物と視認不要な対象物とに区分けして、特に注視すべき視認対象物を決定する処理となる。また、この処理において、注視すべき視認対象物の位置（フロントウインドガラス１の視界領域における位置で、視認すべき方向に対応）も決定される。
【００３９】
Ｑ３の後、Ｑ４において、走行シーンが判定される。このＱ４で処理は、自車両の現在の走行状況を判定するもので、実施形態では少なくとも直進走行と旋回（カーブ）走行の有無について判定される。なお、上記走行シーンの判定に際しては、既知の適宜の手法により行うことができ、図５では図示略のセンサやスイッチ等の作動状況をも加味して判定することができる。
【００４０】
Ｑ４の後、Ｑ５において、運転者が注視すべき視線方向（穏やかに視線誘導する方向）が演算される。このＱ５での処理は、Ｑ３での処理により取得された運転者が注視すべき視認対象物の方向を設定する処理となる。視線誘導される方向は、視認対象物が複数存在する場合は、もっとも重視すべき視認対象物に対する方向とされる。特に視認対象物とすべき物体が存在しないときは、Ｑ４での走行シーンに応じて注視すべき視線方向が設定される。具体的には、例えば、カーブを走行するときは、カーブの曲がり方向を注視すべき視線方向として設定することができ、また高速道路を直進走行しているときは前遠方を注視すべき視線方向として設定することができる。
【００４１】
Ｑ５の後、Ｑ６において、高車速時であるか否か（例えば７０ｋｍ／ｈよりも高車速であるか否か）が判別される。このＱ６の判別でＮＯのときは、Ｑ７において、夜間であるか否か（例えば照度が所定値以下の低照度であるか否か）が判別される。このＱ７の判別でＮＯのときは、Ｑ８において、運転者が注視すべき視線方向をみているか否かが判別される。このＱ８の判別でＹＥＳのときは、Ｑ９において、視線誘導のために高められるサリエンシーが基本の内容で行われる。Ｑ９では、例えば、色と輝度（フロントウインドガラス１内の情景に対する輝度差）とをパラメータとして、例えば図３、図４に示すように行われる。
【００４２】
前記Ｑ６の判別でＹＥＳのとき、Ｑ７の判別でＹＥＳのとき、Ｑ８の判別でＮＯのときは、それぞれ、Ｑ１０において、視線誘導のためにサリエンシーを高めるための制御内容が、Ｑ９とは変更された内容でもって行われる。具体的には、高車速時（Ｑ６の判別でＹＥＳのとき）は、視野が狭くなる一方、動きに対しては敏感であるため、動きによってサリエンシーを高めるようにしてある（例えば図９に示すような部位ＨＲ１−４を動かす）。これに対して、低車速時には、Ｑ９での処理では、動きを伴わない制御内容でもってサリエンシーが高められる。
【００４３】
前記Ｑ７の判別でＹＥＳのとき（夜間のとき）は、Ｑ１０では、サリエンシーを高めるために採択される制御内容が、色以外のものとされる。すなわち、夜間では、色に対しては鈍感になるため、例えば、輝度、動き、面積、凹凸の中かから選択された任意の１つまたは任意の２種類以上でもってサリエンシーが高められる。これに対して、昼間は、色に対して敏感になるため、Ｑ９の処理では、少なくとも色を用いてサリエンシーが高められる。
【００４４】
前記Ｑ８の判別でＮＯのとき（視認対象物を見ていないとき）は、Ｑ１０において、積極的に視線誘導を行うべく、例えば動きや凹凸を利用してサリエンシーが大きく高められる。
【００４５】
なお、視認対象物が特に危険な存在であり、しかも運転者がこの危険な視認対象物を視認していないと判断されたときは、スピーカＳ１２から警報を発生させることもできる。
【００４６】
走行シーンに応じて視線誘導している（例えばカーブの曲がり方向に視線誘導している）状態で、運転者が注視すべき視認対象物が出現したときは、この視認対象物に向かう方向へ視線誘導するためのサリエンシーを高める制御を合わせて行うこともできる。具体的には、例えば、右カーブを走行するときであることからフロントウインドガラス１の右側縁部のサリエンシーを高めている状態で、左方側に注視すべき視認対象物が出現すると共にこの視認対象物に対して運転者の視線が向いていないときは、フロントウインドガラス１の左側縁部のサリエンシーを高めるようにしてもよい。この場合、左側縁部のサリエンシーを高めた際には、一時的に右側縁部のサリエンシーを高める制御を中断するのが好ましい。
【００４７】
ここで、視環境として、運転者の視野範囲を含めることができる。すなわち、運転者の視線方向（の中心線）から例えば左右に各２０度程度の範囲内は、運転者によって明確に視認される視野範囲となる。これに対して、上記左右２０度の範囲の外側となる周辺視外側となる領域では、運転者にとって明確に視認しずらい（視覚的に気づきにくい）領域となる。このため、サリエンシーを高める部位が、運転者の視野範囲外（周辺視外側の領域）となるときは、気づかれやすいように、少なくとも動きを利用してサリエンシーを高めることが好ましいものとなる。一方、サリエンシーを高める部位が視野範囲内であるときは、動きを伴わない例えば色や輝度によってサリエンシーを高めるのが好ましいものとなる。
【００４８】
以上実施形態について説明したが、本発明は、実施形態に限定されるものではなく、特許請求の範囲の記載された範囲において適宜の変更が可能である。サリエンシーを高める度合いは、視界領域内の背景（周辺状況）との関係から、例えば少なくとも所定分の輝度差を有するように設定することができる。視界領域（例えばフロントウインドガラス１）の下縁部についても、サリエンシーを高める制御を行うことができる（例えば自車両の周囲に歩行者や二輪車が多く存在する市街地走行時に、自車両の近く付近に視線誘導する場合）。バックミラー５、サイドミラー６、ディスプレイ７等の間接視界についても同様に、その周縁部におけるサリエンシーを部分的に高める制御を行うことができる。サリエンシーを高めるための制御内容としては、既述した他、点滅表示等、適宜の手法を採択し得る。
【００４９】
サリエンシーを高める部位としては、種々設定できる。例えば、フロントウインドガラス１（視界領域）の側縁部の全長に渡ることなく、上下方向中間部位、上端部位、下端部位等、側縁部の長さ方向において部分的にサリエンシーを高めることもできる。同様に、上縁部あるいは下縁部についても、その全長に渡ることなく、左右方向中間部位、左端部位、右端部位等、長さ方向において部分的にサリエンシーを高めることもできる。また、フロントウインドガラス１を例にした場合で、「上縁部の車幅方向左端部＋左側縁部の上端部」とした場合は、斜め左上方向への視線誘導とすることができ、「上縁部の車幅方向右端部＋右側縁部の上端部」として場合は、斜め右上方向への視線誘導とすることができる。同様に、サリエンシーを高める部位を、「下縁部の車幅方向左端部＋左側縁部の下端部」として場合は、斜め左下方向への視線誘導とすることができ、「上縁部の車幅方向右端部＋右側縁部の下端部」として場合は、斜め左下方向への視線誘導とすることができる。車両（自動車）以外の各種の移動物体（航空機、船舶、列車等）についても同様に適用できる。検出する視環境としては、既述の他、例えば天候（雨天と晴天の区別）、路面の凹凸状態（運転者の目線が上下動して視界に影響）等、適宜のものを含めることができる。勿論、本発明の目的は、明記されたものに限らず、実質的に好ましいあるいは利点として表現されたものを提供することをも暗黙的に含むものである。
【産業上の利用可能性】
【００５０】
本発明は、人間の目に付きやすいサリエンシーを有効に利用して、操作者に対して煩わしさを与えることなく視環境に応じて適切に視線誘導することができる。
【符号の説明】
【００５１】
１：フロントウインドガラス（視界領域）
２：フロントピラー
３：ルーフ
４：インストルメントパネル
５：バックミラー
６：サイドミラー
７：ディスプレイ（視界領域）
Ｕ：コントローラ
Ｓ１：車速センサ
Ｓ２：舵角センサ
Ｓ３：ナビゲーション装置
Ｓ４：アイカメラ
Ｓ５：車外カメラ（サリエンシー検出用）
Ｓ１１：変更領域（液晶）
Ｓ１２：スピーカ（警報用）
Ｄ１：データベース（視認対象物となるサリエンシーを記憶）
Ｄ２：データベース（視認不要なサリエンシーを記憶）
ＨＲ１：（サリエンシーが高くされた部位）
ＨＬ１：（サリエンシーが高くされた部位）
ＨＵ：（サリエンシーが高くされた部位）
ＨＲ１−２：（サリエンシーが高くされた部位）
ＨＲ１−３：（サリエンシーが高くされた部位）
ＨＲ１−４：（サリエンシーが高くされた部位）
【図１】
2018016120.tif 000003
【図２】
2018016120.tif 000004
【図３】
2018016120.tif 000005
【図４】
2018016120.tif 000006
【図５】
2018016120.tif 000007
【図６】
2018016120.tif 000008
【図７】
2018016120.tif 000009
【図８】
2018016120.tif 000010
【図９】
2018016120.tif 000011